(57)【要約】【課題】  作業性の悪い環境下でも容易に作業を行うことができるように作業性に優れ、かつ安全で安価なベルマウスの取付構造を提供する。【解決手段】  ベルマウス１０は、ファンケーシング２０の外面に当接するフランジ部１１の一端１１１と、一端に対向する他端１１２と、一端と他端の間に位置する側端とを有し、空気の吸込口２２の周囲に、一端を受け入れる凹状部２４と、側端に当接して凹状部への一端の受け入れをガイドするガイド部と、他端を差し込んで係止する係止部２５と、を備え、凹状部は、係止部への他端の差し込み長さ（ＬＴ）より長い凹み長さ（ＬＨＤ）を有し、一端は、他端が係止部に差し込まれて係止された際凹状部に係合する取付構造を備える。【選択図】  図５
2015087057.tif 000002
【特許請求の範囲】
【請求項１】
換気装置のファンケーシングを備える送風機の吸込口に設けられるベルマウスを前記吸込口に取り付ける取付構造であって、
前記ベルマウスは、
前記ファンケーシングの外面に当接するフランジ部の一端と、
前記ファンケーシングの外面に当接するフランジ部の、前記一端に対向する他端と、
前記ファンケーシングの外面に当接するフランジ部の、前記一端と前記他端の間に位置する側端と、
を有し、
前記吸込口の周囲に、
前記一端を受け入れる凹状部と、
前記側端の少なくとも一方に当接して、前記凹状部への前記一端の受け入れをガイドするガイド部と、
前記他端を差し込んで係止する係止部と、
を備え、
前記凹状部は、前記係止部への前記他端の差し込み長さより長い凹み長さを有し、
前記一端は、前記他端が前記係止部に差し込まれて係止された際前記凹状部に係合する、
取付構造。
【請求項２】
前記ガイド部は２以上設けられ、前記側端の両方に当接することを特徴とする請求項１に記載の取付構造。
【請求項３】
前記一端の全長は、一方の前記側端から他方の前記側端までの最短距離よりも短いことを特徴とする請求項２に記載の取付構造。
【請求項４】
換気装置のファンケーシングを備える送風機の吸込口に設けられるベルマウスを前記吸込口に取り付ける取付構造であって、
前記ベルマウスは、
前記ファンケーシングの外面に当接するフランジ部の一端と、
前記ファンケーシングの外面に当接するフランジ部の、前記一端に対向する他端と、
前記ファンケーシングの外面に当接するフランジ部の、前記一端と前記他端の間に位置する側端と、
を有し、
前記吸込口の周囲に、
前記一端を受け入れる凹状部と、
前記他端を差し込んで係止する係止部と、
を備え、
前記凹状部の凹み深さは、前記係止部への前記他端の差し込み長さより深く、
前記凹状部の全長は、前記一端の全長よりも長く、
前記一端は、前記他端が前記係止部に差し込まれて係止された際前記凹状部に係合する、
取付構造。
【請求項５】
前記一端を摺動させて、前記凹状部への前記一端の受け入れを案内する傾斜部を備えることを特徴とする請求項１乃至４のいずれかに記載の取付構造。
【請求項６】
前記他端は、前記吸込口の直径より短い１つの係止片を有することを特徴とする請求項１乃至５のいずれかに記載の取付構造。
【請求項７】
前記係止片の側縁に当接して、前記係止部への前記係止片の差し込みをガイドする凸状部を備えることを特徴とする請求項６に記載の取付構造。
【請求項８】
前記一端は一部に段部を有し、前記段部の高さは前記凹状部の凹み幅に略等しいことを特徴とする請求項１乃至７のいずれかに記載の取付構造。
【請求項９】
請求項１乃至８のいずれかに記載の取付構造を備えるレンジフード。
【発明の詳細な説明】
【技術分野】
【０００１】
本発明は、換気装置のファンケーシングを備える送風機の吸込口に設けられるベルマウスの取付構造およびその取付構造を有するレンジフードに関する。
【背景技術】
【０００２】
従来、調理により発生する油煙などを捕集し排気するレンジフードなどの換気装置において、遠心送風機が多く使用されている。これらの遠心送風機の吸込口には、ベルマウスと呼ばれる部品をファンケーシングの吸込部に取り付けて、吸込口を形成している。ベルマウスは、油煙の流路であるため定期的に清掃することが望ましいが、遠心送風機を清掃する際にはこのベルマウスを着脱する必要がある。そこで、従来から種々の取り付け方法が提案されている。
【０００３】
例えば、特許文献１では、ベルマウスをファンケーシングにねじ止めすることで着脱可能に固定して取り付ける構造が記載されている。しかしながら、ベルマウスはレンジフードのファンケーシングに装着されるものであるから高所での作業となり、ねじ止めは作業性が悪い。
【０００４】
また、特許文献２には、ベルマウスとファンケーシングとを嵌め合わせることで着脱可能に固定して取り付ける構造が記載されている。しかしながら、取り付け時には高所に取り付けられたファンケーシングに備えるいくつもの爪部の位置を確認しながらベルマウスを嵌め合わせなければならず、煩わしいばかりか爪部の設置個所が高所であるため確認しづらく作業性が悪い。また、清掃時に指が不用意に爪部に触れてしまい、指を切ってしまう恐れがあった。
【０００５】
また、特許文献３には、弾性を有する係合片とベルマウスの外周に設けた係合溝とが係合することでベルマウスがワンタッチで着脱可能に固定して取り付ける構造が記載されている。しかしながら、このような構成であると構造が複雑になるため、高価になってしまう。
【先行技術文献】
【特許文献】
【０００６】
【特許文献１】特開平１１―３１１４３１
【特許文献２】特開２００５―２９１５５０
【特許文献３】特開２０１３―１８１７０６
【発明の概要】
【発明が解決しようとする課題】
【０００７】
そこで、本発明は、上記問題に鑑みてなされたものであり、本発明の目的とするところは、レンジフードの送風機といった高所に設置された作業性の悪い環境下でも容易に作業を行うことができるように作業性に優れ、かつ安全で安価なベルマウスの取付構造およびレンジフード１を提供することである。
【課題を解決するための手段】
【０００８】
上記課題を解決するために、換気装置のファンケーシングを備える送風機の吸込口に設けられるベルマウスをその吸込口に取り付ける取付構造であって、ベルマウスは、ファンケーシングの外面に当接するフランジ部の一端と、ファンケーシングの外面に当接するフランジ部の、一端に対向する他端と、ファンケーシングの外面に当接するフランジ部の、一端と他端の間に位置する側端と、を有し、吸込口の周囲に、一端を受け入れる凹状部と、側端の少なくとも一方に当接して、凹状部への一端の受け入れをガイドするガイド部と、他端を差し込んで係止する係止部と、を備え、凹状部は、係止部への他端の差し込み長さより長い凹み長さを有し、一端は、他端が係止部に差し込まれて係止された際凹状部に係合する、取付構造が提供される。
これによれば、ベルマウスのフランジ部の一端が、作業者の視認確認を不要とするほど容易に凹状部に受け入れられるので、作業性の悪い環境下でも簡単にベルマウスを取り付けることができるように作業性に優れ、かつ安全で安価なベルマウスの取付構造を提供することができる。
【０００９】
さらに、ガイド部は２以上設けられ、側端の両方に当接することを特徴としてもよい。
これによれば、よりスムースに安定した案内を実現できる。
【００１０】
さらに、一端の全長は、一方の側端から他方の側端までの最短距離よりも短いことを特徴としてもよい。
これによれば、２つのガイド部の距離となる一方の側端から他方の側端までの長さより、一端の全長の方が短いことで、一端を２つのガイド部の間を目がけて当てた場合に嵌りやすい。
【００１１】
上記課題を解決するために、換気装置のファンケーシングを備える送風機の吸込口に設けられるベルマウスをその吸込口に取り付ける取付構造であって、ベルマウスは、ファンケーシングの外面に当接するフランジ部の一端と、ファンケーシングの外面に当接するフランジ部の、一端に対向する他端と、ファンケーシングの外面に当接するフランジ部の、一端と他端の間に位置する側端と、を有し、吸込口の周囲に、一端を受け入れる凹状部と、他端を差し込んで係止する係止部と、を備え、凹状部の凹み深さは、係止部への他端の差し込み長さより深く、凹状部の全長は、一端の全長よりも長く、一端は、他端が係止部に差し込まれて係止された際凹状部に係合する、取付構造が提供される。
これによれば、一端を突き当てることができる幅が広く取れるため、突き当てた後は他端を係止部に差し込むだけでベルマウスを取付けることができるので、作業性の悪い環境下でも簡単にベルマウスを取り付けることができるように作業性に優れ、かつ安全で安価なベルマウスの取付構造を提供することができる。
【００１２】
さらに、一端を摺動させて、凹状部への一端の受け入れを案内する傾斜部を備えることを特徴としてもよい。
これによれば、一端を挿入する際に凹状部から多少位置がずれてしまっても、一端は傾斜部によって凹状部へと案内することができる。
【００１３】
さらに、他端は、吸込口の直径より短い１つの係止片を有することを特徴としてもよい。
これによれば、視認確認を行いながら係止片を係止部に差し込む場合は１つの係止片に注意すれば良いため、フランジ部の他端の左右両端に視線を動かして注意する必要がなく、視界が絞られて容易に取り付けることができる。
【００１４】
さらに、係止片の側縁に当接して、係止部への係止片の差し込みをガイドする凸状部を備えることを特徴としてもよい。
これによれば、作業者の視認確認を不要とするほど容易に係止片を係止部に差し込むことができ、ベルマウスを送風機の吸込口に取り付けすることを簡単に完了することができる。
【００１５】
さらに、一端は一部に段部を有し、段部の高さは凹状部の凹み幅にほぼ等しいことを特徴としてもよい。
これによれば、ベルマウスを取り付けた後ガタつきが無くなる。
【００１６】
上記課題を解決するために、上記の取付構造を備えるレンジフードが提供される。
これによれば、レンジフードの送風機を清掃等する際簡単な操作でベルマウスを着脱できるので、作業性を向上させたレンジフードを提供できる。
【発明の効果】
【００１７】
以上説明したように、本発明によれば、レンジフードの送風機といった高所に設置された作業性の悪い環境下でも容易に作業を行うことができるように作業性を向上させ、かつ安全で安価なベルマウスの取付構造およびレンジフード１を提供することができる。
【図面の簡単な説明】
【００１８】
【図１】本発明に係る第一実施例におけるレンジフードの、（Ａ）正面図、（Ｂ）平面面図、（Ｃ）底面図、（Ｄ）右側面図。
【図２】本発明に係る第一実施例におけるレンジフードの、（Ａ）整流板を取り外した場合の底面図、（Ｂ）整流板を取り外した場合の右下から見た斜視図。
【図３】本発明に係る第一実施例におけるレンジフードの断面図（図１（Ａ）におけるＡ−Ａ断面）
【図４】本発明に係る第一実施例におけるベルマウスの、（Ａ）正面図、（Ｂ）平面図、（Ｃ）底面図、（Ｄ）右側面図、（Ｅ）断面図（Ｄ−Ｄ断面）、（Ｆ）右上から見た斜視図。
【図５】本発明に係る第一実施例におけるレンジフードに取り付けられたベルマウスの、（Ａ）一端付近の拡大断面図（図１（Ａ）におけるＡ−Ａ断面）、（Ｂ）他端付近の拡大断面図（図１（Ａ）におけるＡ−Ａ断面）。
【図６】本発明に係る第一実施例におけるレンジフードの凹状部付近の、（Ａ）ベルマウスを取り外した場合の図１（Ｄ）の断面Ｂ−Ｂにおける断面図、（Ｂ）ベルマウスを取り外した場合の図１（Ｄ）の断面Ｃ−Ｃにおける断面図、（Ｃ）ベルマウスを取り付けた場合の図１（Ｄ）の断面Ｂ−Ｂにおける断面図、（Ｄ）ベルマウスを取り付けた場合の図１（Ｄ）の断面Ｃ−Ｃにおける断面図。
【発明を実施するための形態】
【００１９】
以下では、図面を参照しながら、本発明に係る実施例について説明する。
＜第一実施例＞
図１は、本発明に係る第一実施例におけるレンジフード１の正六面図の一部を、図２は、整流板５を取り外したレンジフード１の底面図と右下から見た斜視図を、図３は、前後方向（正面・背面方向）の断面における断面図を示す。
【００２０】
レンジフード１は、調理器の上方に設けられ、下方または周囲で行われる調理によって発生する湯気や油煙等を含む空気を捕集するための、上方に凹状の内面パネル３０を内面に有する薄型のフード部２を有する。内面パネル３０は開口部３１を有し、共通パネル４０がその開口部３１に気密に取り付けられる。そして、共通パネル４０は開口部を有し、油煙等を含む空気をその開口部から吸込み、煙道７内に引込み、その煙道７内に配置されるフィルタ５０が油煙等を空気から取り除く。
【００２１】
フード部２は、上部に位置し共通パネルの開口部と適合した連通口６付近で、排気ダクト３に接続された送風機ボックス（換気装置）４と連結されている。送風機ボックス４は、連通口６と連通する煙道７と、吸込口２２で煙道７と連通する内部に空気の流れを発生させる送風機２１を有するファンケーシング２０を有する。従って、送風機２１が稼働すると連通口６は負圧となり、内面パネル３０の下方の空気は連通口６を通して吸入され、煙道７とファンケーシング２０を経由して排気ダクト３を通して外部に排出される。
【００２２】
レンジフード１は、ファンケーシング２０の吸込口２２に、空気を低い抵抗でスムースに吸込むようにガイドするため、空気の流れに接する部分にラッパ口形状を有するベルマウス１０を備える。ベルマウス１０は、フィルタ５０の空気の流れの下流側に配置されるので、フィルタ５０が油煙等を取り除いた後の空気と接する。しかし、フィルタ５０は油分を完全には取り除くことはできず、ベルマウス１０も油煙など含む空気の通り道となるため油分が付着することが多いので、ベルマウス１０は、ベルマウス１０や送風機２１のファンを取り外して洗浄するため、着脱可能に備えられる。
【００２３】
送風機２１の内部に空気を確実に送り込むため、ベルマウス１０の吸込口２２中心側の内径は、送風機２１のファンの内径よりも小さく形成し、かつ吸込口２２の径はファンの外径より大きく形成されている。そのため、送風機２１のファンを取り外す場合は、ベルマウス１０を取り外すことで、吸込口２２から送風機２１のファンを取り外すことができる。なお、図示する送風機２１のファンは、高静圧の遠心送風ファンであるが、特にこれに限定されず、軸流ファンであってもよい。
【００２４】
なお、換気装置とは、本実施例においてはファンケーシング２０として記載するが、レンジフードを始めとして、食卓の上方に備えられ換気機能と照明機能とを備えた装置、浴室換気扇、浴室換気乾燥機、天井換気扇、空気清浄機などの装置、その他の送風機を備える装置を含むものである。
【００２５】
図４は、ベルマウス１０の六面図等を示す。ベルマウス１０は、空気を低い抵抗でスムースに吸込むようにガイドするための漏斗部１２と、ファンケーシング２０の外面に当接するため、漏斗部１２から周囲に延在するフランジ部１１とを有する。フランジ部１１は、一の辺に一端１１１と、一端１１１に対向する他辺に位置する他端１１２と、一端１１１と他端１１２の間に位置する２つの側端１１３とを有する。一端１１１と側端１１３の間にはアールを設けて、一端１１１の全長（ＬＩ）は、側端１１３間の距離（ＬＳ）より短くなっている。
【００２６】
図５と図６を用いて、どのようにベルマウス１０を着脱するのかを含めて、より詳細に説明する。図５（Ａ）は、レンジフード１にベルマウス１０を取り付けた場合上端となる一端１１１と凹状部２４付近の拡大断面図（正面・背面方向となるＡ−Ａ断面における）である。また、図５（Ｂ）は、レンジフード１にベルマウス１０を取り付けた場合下端となる他端１１２と係止部２５付近の拡大断面図（同断面における）である。図６（Ｂ）と（Ｄ）は、左右側面方向の断面であって凹状部２４を含むような断面（断面Ｃ−Ｃ）での断面図であり、図６（Ａ）と（Ｃ）は、左右側面方向の断面であって凹状部２４を含まないわずか正面よりの断面（断面Ｂ−Ｂ）での断面図である。なお、図６においては、分かりやすくするために、吸込口２２の向こう側に見える送風機２１などの記載を省略している。
【００２７】
凹状部２４、係止部２５およびガイド部２６は、吸込口２２の周囲に、ベルマウス１０の大きさに適合して設けられる。凹状部２４は、吸込口２２の上側にファンケーシング２０の外面に沿って設けられ、その凹状となった部分にベルマウス１０の上側のフランジ部１１の上端となる一端１１１を受け入れるように形成される。係止部２５は、吸込口２２の下側にファンケーシング２０の一部を正面側に切り起こすようにして設けられ、他端１１２を差し込んで係止するように形成される。また、ガイド部２６は、吸込口２２の横に１つファンケーシング２０の一部を正面側に突出させるようにして設けられ、側端１１３の一部に当接して、凹状部２４への一端１１１の受け入れをガイドするように形成される。
【００２８】
凹状部２４のファンケーシング２０の外面に沿った方向の全長（ＬＨＬ）は、ベルマウス１０の一端の全長（ＬＩ）よりはるかに長い。作業者がベルマウス１０をファンケーシング２０の吸込口２２に取り付ける際まず一端１１１を凹状部２４に嵌め入れることになるが、これにより、一端１１１は、左右方向において作業者の視認確認を不要とするほど容易に凹状部２４に受け入れられる。
【００２９】
なお、作業者が一端１１１を凹状部２４に嵌め入れる際、側端１１３をガイド部２６または送風機ボックス４の内側面にあてて摺動させながら、一方の側端１１３から他方の側端１１３までの最短距離となる両側端１１３間の距離（ＬＳ）より短い全長（ＬＩ）の一端１１１を嵌め入れる。これにより、一端１１１をガイド部等の間を目がけて当てた場合に嵌りやすく、一端１１１は、左右方向において作業者の視認確認を不要とするほどさらに容易に凹状部２４に受け入れられる。本実施例では、ガイド部２６は両側に２つ設けており、両側端はそれぞれがガイド部２６に当接する。すなわち送風機ボックス４の内側面も凹状部２４へ一端を受け入れさせることを案内しているため、送風機ボックス４の内側面はガイド部２６としての機能を有しており、ガイド部とみなす事ができる。なお、本実施例では送風機ボックス４の内側面以外にもう一つガイド部２６を設けているが、これをいずれか一つとして側端１１３の一方のみをガイド部にあてて摺動させることで凹状部２４へ一端１１１を嵌めても良い。
【００３０】
作業者は、一端１１１を凹状部２４に嵌め入れ終わった後、側端１１３と他端１１２をファンケーシング２０の外面に当接させて摺動させながら、ベルマウス１０を下方へ移動させ、ファンケーシング２０の外面から切り起こされた係止部２５とその外面との間に形成されたスリット２９へ他端１１２を差し込む。なお、スリット２９のスリット幅は、ガタつきをなくすためベルマウス１０の板厚程度が好ましい。係止部２５の切り起こし長さは、他端１１２の差し込み長さ（ＬＴ）とほぼ等しいこととなり、また、凹状部２４は、係止部２５への他端１１２の差し込み長さ（ＬＴ）より長い凹み長さ（ＬＨＤ）を有しているので、換言すれば、凹状部２４の凹み深さ（ＬＨＤ）は、係止部２５への他端１１２の差し込み長さ（ＬＴ）より深いので、作業者が一端１１１を凹状部２４に嵌め入れ後他端１１２をスリット２９に差し込むことができる。
【００３１】
そして、作業者がベルマウス１０を下方に移動させて他端１１２をスリット２９に差し込んで他端１１２を係止部２５に係止させた場合においても、一端１１１は、凹状部２４に係合している。これにより、ベルマウス１０は、ファンケーシング２０の外面の吸込口２２の周囲に固定され、取り付けられることとなる。
【００３２】
上述した構造は、ベルマウス１０を吸込口２２に取り付ける取付構造であって、ベルマウス１０は、ファンケーシング２０の外面に当接するフランジ部１１の一端１１１と、ファンケーシング２０の外面に当接するフランジ部１１の、一端１１１に対向する他端１１２と、ファンケーシング２０の外面に当接するフランジ部１１の、一端１１１と他端１１２の間に位置する側端１１３と、を有し、吸込口２２の周囲に、一端１１１を受け入れる凹状部２４と、側端１１３の少なくとも一方に当接して、凹状部２４への一端１１１の受け入れをガイドするガイド部２６と、他端１１２を差し込んで係止する係止部２５と、を備え、凹状部２４は、係止部２５への他端１１２の差し込み長さ（ＬＴ）より長い凹み長さ（ＬＨＤ）を有し、一端１１１は、他端１１２が係止部２５に差し込まれて係止された際凹状部２４に係合する取付構造である。
【００３３】
これによれば、ベルマウスのフランジ部の一端が、作業者の視認確認を不要とするほど容易に凹状部に受け入れられるので、作業性の悪い環境下でも簡単にベルマウスを取り付けることができるように作業性に優れ、かつ安全で安価なベルマウスの取付構造を提供することができる。また、凹状部２４の全長（ＬＨＬ）が、一端１１１の全長（ＬＩ）よりも長いことは、一端１１１を突き当てることができる幅が広く取れるため、突き当てた後は他端１１２を係止部２５に差し込むだけでベルマウス１０を取付けることができるので、作業性の悪い環境下でも簡単にベルマウスを取り付けることができるように作業性に優れ、かつ安全で安価なベルマウスの取付構造を提供することができる。
【００３４】
本実施例におけるレンジフード１は、この取付構造を採用したレンジフードである。これによれば、レンジフードの送風機等を清掃等する際、簡単な操作でベルマウス１０を着脱できるので、作業性を向上させたレンジフードを提供できる。
【００３５】
また、レンジフード１は、一端１１１を摺動させて、凹状部２４への一端１１１の受け入れを案内する傾斜部２８を備えてもよい。これによれば、一端１１１を挿入する際に凹状部２４から作業者の手前方向（正面方向）に多少位置がずれてしまっても、一端１１１は傾斜部２８によって凹状部２４へと案内することができ、一端１１１は、前後方向において作業者の視認確認を不要とするほど容易に凹状部２４に受け入れられる。
【００３６】
また、一端１１１は、その一部に段部１１５を有してもよい。段部１１５の高さ（ＬＤＨ）は凹状部２４の凹み幅（ＬＨＷ）にほぼ等しい。これによれば、一端１１１の強度が増すと共に、凹状部２４にしっかりと嵌り込むのでベルマウス１０を取り付けた後ガタつきが無くなる。
【００３７】
また、ベルマウス１０は、他端１１２において吸込口の直径より短い１つの係止片１１６を有してもよい。これによれば、視認確認を行いながら係止片１１６を係止部２５に差し込む場合は幅の狭い１つの係止片１１６に注意すれば良いため、フランジ部１１の他端１１２の左右両端に視線を動かして注意する必要がなく、視界が絞られて容易に取り付けることができる。なお、他端１１２の全長は、側端１１３の間の距離と等しいが、他端と側端の間にアールを設ける場合は、一端側と同様直線部分のみを全長としてもよい。係止片１１６を有する場合、係止片１１６の側縁１１７に当接して、係止部２５への係止片１１６の差し込みをガイドする凸状部２７を備えてもよい。これによれば、作業者の視認確認を不要とするほど容易に係止片を係止部に差し込むことができ、ベルマウス１０を送風機の吸込口に取り付けすることを簡単に完了することができる。
【００３８】
ベルマウス１０を取り外す場合は、上記取り付ける順序と逆の手順となる。即ち、作業者は、ベルマウス１０を係止部２５への他端１１２の差し込み長さ（ＬＴ）以上上方（凹状部２４の方）へ動かすことにより、他端１１２と係止部２５との係止を外す。次に、作業者は、他端１１２のフランジ部１１をファンケーシング２０の外面から少し浮かせて下に下ろす。これにより、一端１１１は凹状部２４との係合を離れることとなる。作業者はたったこれだけの作業により、ベルマウス１０をファンケーシング２０から取り外すことができる。レンジフードの送風機といった高所に設置された作業性の悪い環境下でも容易に取り外すことができるように作業性を向上させ、かつ安全で安価なベルマウスの取付構造およびレンジフード１を提供することができる。
【００３９】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではない。
例えば、本実施例ではベルマウスを床と垂直に取り付けるタイプを例示したが、これに限らず、例えば床と平行に取り付けるタイプや傾斜して取り付けるタイプにも有効である。
【符号の説明】
【００４０】
１      レンジフード
２      フード部
３      排気ダクト
４      送風機ボックス（換気装置）
５      整流板
６      連通口
７      煙道
１０    ベルマウス
１１    フランジ部
１１１  一端
１１２  他端
１１３  側端
１１５  段部
１１６  係止片
１１７  側縁
１２    漏斗部
２０    ファンケーシング
２１    送風機
２２    吸込口
２４    凹状部
２５    係止部
２６    ガイド部
２７    凸状部
２８    傾斜部
２９    スリット
３０    内面パネル
３１    開口部
４０    共通パネル
５０    フィルタ
ＬＩ    一端の全長
ＬＴ    他端の差し込み長さ
ＬＨＤ  凹み深さ（凹み長さ）
ＬＨＷ  凹み幅
ＬＨＬ  凹状部の全長
ＬＤＨ  段部の高さ
ＬＳ    側端間の距離（他端の全長）
【図６】
2015087057.tif 000003
【図１】
2015087057.tif 000004
【図２】
2015087057.tif 000005
【図３】
2015087057.tif 000006
【図４】
2015087057.tif 000007
【図５】
2015087057.tif 000008